(57)【要約】【課題】高層建築物による電波障害の従来の防止対策として、高層建築物に電波中継装置を設置する対策では、装置の設置費用が高いため、全ての高層建築物に設置することが困難であり、また高層建築物の外壁に電波吸収体を設置する対策では、集合住宅のように、外壁の凹凸が多いと要求性能を満たすことが困難である。【解決手段】そこで本発明では、高層建築物１の外壁２に電波反射体３を上方に傾斜させて設置するという、高層建築物による電波障害防止機構を提案する。電波反射体は、複数の金属ワイヤーを所定間隔で平行に、又は網状に張設して構成したものでは、光や視界を殆ど遮らないので、採光や眺望が要求されるマンションのベランダにも設置が可能である。【選択図】      図１
2004190434.tif 000002
【特許請求の範囲】
【請求項１】
高層建築物の外壁に電波反射体を上方に傾斜させて設置したことを特徴とする高層建築物による電波障害防止機構
【請求項２】
電波反射体は、複数の金属ワイヤーを所定間隔で平行に張設して構成したことを特徴とする請求項１に記載の高層建築物による電波障害防止機構
【請求項３】
電波反射体は、複数の金属ワイヤーを所定間隔で網状に張設して構成したことを特徴とする請求項１に記載の高層建築物による電波障害防止機構
【請求項４】
電波反射体は、金属帯を、所定間隔で螺旋状に配置して構成したことを特徴とする請求項１に記載の高層建築物による電波障害防止機構
【請求項５】
電波反射体は、金属帯を、所定間隔で同心円状に配置して構成したことを特徴とする請求項１に記載の高層建築物による電波障害防止機構
【請求項６】
電波反射体は金属パネルとして構成したことを特徴とする請求項１に記載の高層建築物による電波障害防止機構
【請求項７】
高層建築物は集合住宅であり、そのベランダの外側に電波反射体を設置したことを特徴とする請求項１に記載の高層建築物による電波障害防止機構
【請求項８】
電波反射体は、ベランダの手摺りを兼用する構成としたことを特徴とする請求項１に記載の高層建築物による電波障害防止機構
【発明の詳細な説明】
【０００１】
【発明の属する技術分野】
本発明は、高層建築物による電波障害防止機構に関するものである。
【０００２】
【従来の技術】
集合住宅、高層ビル等の高層建築物では、外壁で電波が遮蔽されたり、反射されたりする。このため、高層建築物が建設されると、電波の送信アンテナに対して、高層建築物の裏側では電波が弱くなり、また表側では反射波によってゴーストが生じるというような、電波障害が、高層建築物の周辺の住宅等で起こる。
【０００３】
このような電波障害を防止するために、従来は、例えば図１０に示すように、高層建築物ａに電波中継装置ｂを設けて、送信アンテナｃからの電波を中継することにより周辺住宅ｄに直接波と同期した安定した電波を供給するようにしたり、または図１１に示すように高層建築物ａの外壁に電波吸収体ｅを設置して周辺住宅ｄに到達する反射波を弱めるような対策等を講じている。
【０００４】
例えば特開平７−１５２２５号公報に示されるものでは、ビルディングの外壁面又は窓の表面に、高周波用のアンテナとしての導体を設置して、ビル影による電波障害の解消を図っている。また特開２０００−２４０１８９号公報に示されるものでは、建築物の外装材に電波吸収性を持たせている。
【０００５】
【発明が解決しようとする課題】
しかしながら前者の高層建築物に電波中継装置を設置する対策では、装置の設置費用が高いため、全ての高層建築物に設置することが困難であり、また後者の高層建築物の外壁に電波吸収体を設置する対策では、集合住宅のように、外壁の凹凸が多いと要求性能を満たすことが困難である。
そこで、本発明は、このような課題を解決することを目的とするものである。
【０００６】
【課題を解決するための手段】
上述した課題を解決するために、請求項１の発明では、高層建築物の外壁に電波反射体を上方に傾斜させて設置した高層建築物による電波障害防止機構を提案している。
【０００７】
また請求項２では、複数の金属ワイヤーを所定間隔で平行に張設して構成した電波反射体を提案している。
【０００８】
また請求項３では、複数の金属ワイヤーを所定間隔で網状に張設して構成した電波反射体を提案している。
【０００９】
また請求項４では、金属帯を、所定間隔で螺旋状に配置して構成した電波反射体を提案している。
【００１０】
また請求項５では、金属帯を、所定間隔で同心円状に配置して構成した電波反射体を提案している。
【００１１】
また請求項６では、金属パネルとして構成した電波反射体を提案している。
【００１２】
また請求項７では、高層建築物が集合住宅の場合に、そのベランダの外側に電波反射体を設置することを提案しており、更に請求項８では、電波反射体は、ベランダの手摺りを兼用する構成とすることを提案している。
【００１３】
本発明の防止機構を適用した高層建築物の外壁に、それよりも高い送信アンテナから発せられたテレビ電波等の電波が到達すると、電波は上方に傾斜させた電波反射体により、天空方向に反射させられるので、反射波が周辺住宅に到達することを防ぎ、電波障害の発生を防止することができる。
【００１４】
電波反射体の構成として、複数の金属ワイヤーを所定間隔で平行に、又は網状に張設して構成したものでは、光や視界を殆ど遮らないので、採光や眺望が要求されるマンションのベランダにも設置が可能である。
【００１５】
【発明の実施の形態】
次に本発明の実施の形態を図１〜図９を参照して説明する。
まず図１は本発明に係る電波障害防止機構を適用した高層建築物の構成と、電波障害防止作用を説明するもので、符号１は高層建築物、例えば高層の集合住宅であり、この高層建築物１の外壁２に電波反射体３を上方に傾斜させて設置している。
【００１６】
この電波反射体３は、例えば図２に示すように、例えば太さ２〜３ｍｍφ程度のステンレス等の金属製ワイヤー４の複数を、支持体５間に所定間隔、例えば８０ｍｍ程度の間隔で張設した構成とすることができる。金属製ワイヤー４の間隔は、対象とする電波の周波数帯域に応じて適宜に調節すれば良い。
【００１７】
この実施の形態では、図１、そしてより詳細に図３に示されているように、高層建築物１の各階毎に構成されているベランダ６のうち、高階の複数のベランダ６の手摺り７の外側に、電波反射体３を上方に傾斜させて設置している。この傾斜角度は、電波塔に設けられた送信アンテナ８と高層建築物１の相対位置関係等に応じて適宜に設定すれば良く、また電波反射体３は傾斜角度を調節可能に設置する構成とすることができる。電波反射体３の傾斜角度の例としては、通常は１０°程度でよい。
【００１８】
以上の構成によれば、高層建築物１の外壁２に、それよりも高い送信アンテナ８から発せられたテレビ電波等の電波が到達すると、電波は上方に傾斜させた電波反射体３により、天空方向に反射させられるので、反射波が周辺住宅に到達することを防ぎ、従ってゴースト等の電波障害の発生を防止することができる。
【００１９】
次に図４〜図７は電波反射体３の他の実施の形態を示すものである。
図４のものでは、上記ステンレス等の金属ワイヤー４を、支持枠体９により所定間隔で縦横に網状に調節して構成している。
また図５のものでは、ステンレス等の金属帯１０を支持枠体９内に所定間隔で楕円螺旋状に配置して構成している。符号１１は金属帯１０の間隔を所定間隔に保持するための保持帯である。
また図６のものでは、ステンレス等の金属帯１０を支持枠体９内に所定間隔で同心円状に配置して構成している。
また図７のものでは、ステンレス等の金属帯１０を支持枠体９内に所定間隔で同心楕円状に配置して構成している。
これらの構成における金属ワイヤー４及び金属帯１０間の間隔も、対象とする電波の周波数帯域に応じて適宜に調節すれば良い。
【００２０】
また図示はしていないが、電波反射体３は金属パネルとして構成することもできる。
【００２１】
図８は、電波反射体３を、ベランダ６の手摺り７の外側に傾斜させて設置する仕方の、他の実施の形態を示すものである。
即ち、この実施の形態では、電波反射体３は、２段構成の２つの上方に傾斜した反射面１２ａ，１２ｂを構成しており、このような構成では、電波反射体３の上下長さに対して、外方への突出長を短くすることができる。
【００２２】
図９は電波反射体３を、ベランダ６の手摺り７の外側に傾斜させて設置する仕方の、更に他の実施の形態を示すものである。即ち、この実施の形態では、電波反射体３は、ベランダ６の手摺り７を兼用する構成としている。
【００２３】
【発明の効果】
本発明は以上のとおりで、高層集合住宅等の高層建築物の外壁に到達する電波を天空方向に反射させることができるので、周辺住宅方向の反射波を発生させず、従ってゴースト等の電波障害を簡単な構成で防止することができるという効果がある。
【図面の簡単な説明】
【図１】本発明に係る電波障害防止機構を適用した高層建築物の構成と、電波障害防止作用を説明する説明図である。
【図２】電波反射体の実施例を示す斜視図である。
【図３】電波反射体の設置状況を示す説明図である。
【図４】電波反射体の他の実施例を示す斜視図である。
【図５】電波反射体の更に他の実施例を示す斜視図である。
【図６】電波反射体の更に他の実施例を示す斜視図である。
【図７】電波反射体の更に他の実施例を示す斜視図である。
【図８】電波反射体の他の設置状況を示す説明図である。
【図９】電波反射体の更に他の設置状況を示す説明図である。
【図１０】従来の電波障害防止対策の一例を示す説明図である。
【図１１】従来の電波障害防止対策の他例を示す説明図である。
【符号の説明】
１              高層建築物
２              外壁
３              電波反射体
４              金属製ワイヤー
５              支持体
６              ベランダ
７              手摺り
８              送信アンテナ
９              支持枠体
１０            金属帯
１１            保持帯
１２ａ，１２ｂ  反射面
【図１】
2004190434.tif 000003
【図２】
2004190434.tif 000004
【図３】
2004190434.tif 000005
【図４】
2004190434.tif 000006
【図５】
2004190434.tif 000007
【図６】
2004190434.tif 000008
【図７】
2004190434.tif 000009
【図８】
2004190434.tif 000010
【図９】
2004190434.tif 000011
【図１０】
2004190434.tif 000012
【図１１】
2004190434.tif 000013